(57)【特許請求の範囲】
【請求項１】
底部に重なるように倒されている長側壁を底部に対して垂直に立て、次いで、底部に重なるように倒されている短側壁を底部に対して垂直に立てることにより、箱型のコンテナーに組み立てられる折り畳みコンテナーにおいて、係合雌部としてのスリットと該スリットの下方に形成された係止雌部とが、両端部付近に形成されている前記短側壁と、前記短側壁の両端部付近に位置する上端に、ヒンジ部を介して連接されているとともに、前記短側壁の係止雌部に係止可能な係止雄部が形成されている折り畳み係止片と、内壁面に対して垂直な垂直片と該垂直片の先端から、前記内壁面と略平行に延在する係合片とからなる係合雄部が、前記内壁面の両端部付近に形成されている前記長側壁とからなり、折り畳みコンテナーが箱型に組み立てられた際には、前記短側壁の係合雌部としてのスリットに、前記長側壁の係合雄部の係合片が挿入されているとともに、前記長側壁の係合雄部の垂直片が、前記ヒンジ部を中心に前記短側壁方向に回動された前記折り畳み係止片と前記短側壁とにより挟持されており、且つ、前記折り畳み係止片の係止雄部が、前記短側壁の係止雌部に係止されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図９〜図１１に示されているように、長方形の底部１の相対する長辺側１ａに、適当なヒンジ結合により連結された長側壁２と、同じく上記底部１の相対する短辺側１ｂに、適当なヒンジ結合により連結された短側壁３とからなる折り畳みコンテナーが知られており、折り畳み状態においては、図１０に示されているように、底部１の上に短側壁３が重なるように折り畳まれ、更にその上に、図１１に示されているように、長側壁２が折り畳まれており、そして、折り畳まれた状態の長側壁２を、底部１に対して垂直に立て、次いで、折り畳まれた短側壁３を、底部１に対して垂直に立てることにより、図９に示されているように、箱型のコンテナーに組み立てるように構成されている。
【０００３】
そして、長側壁２の垂直端部に形成された係止部材２ａに、短側壁３の垂直端部に形成された係止部材３ａを係止させることにより、組み立てられた状態の折り畳みコンテナーの長側壁２及び短側壁３が、簡単には倒れないように構成されている。このような係止部材２ａ、３ａは、本願出願前、既に、周知（例えば、特開平６−１３４２号公報、特開平８−３１８９３９号公報等を参照のこと。）であるので、その詳細な説明は省略する。
【０００４】
【発明が解決しようとする課題】
上述した従来の折り畳みコンテナーにおいては、組み立てられた状態の折り畳みコンテナーの長側壁２及び短側壁３が、簡単には倒れないように、係止部材２ａ、３ａの係止状態が強いために、長側壁２と短側壁３との係止作業及び係止状態の解除作業に時間がかかり、従って、折り畳みコンテナーの組み立て作業及び折り畳み作業の作業性が悪いという問題があった。
【０００５】
本発明の目的は、上述した従来の折り畳みコンテナーが有する課題を解決することにある。
【０００６】
【課題を解決するための手段】
本発明は、上述した目的を達成するために、底部に重なるように倒されている長側壁を底部に対して垂直に立て、次いで、底部に重なるように倒されている短側壁を底部に対して垂直に立てることにより、箱型のコンテナーに組み立てられる折り畳みコンテナーにおいて、係合雌部としてのスリットと該スリットの下方に形成された係止雌部とが、両端部付近に形成されている前記短側壁と、前記短側壁の両端部付近に位置する上端に、ヒンジ部を介して連接されているとともに、前記短側壁の係止雌部に係止可能な係止雄部が形成されている折り畳み係止片と、内壁面に対して垂直な垂直片と該垂直片の先端から、前記内壁面と略平行に延在する係合片とからなる係合雄部が、前記内壁面の両端部付近に形成されている前記長側壁とからなり、折り畳みコンテナーが箱型に組み立てられた際には、前記短側壁の係合雌部としてのスリットに、前記長側壁の係合雄部の係合片が挿入されているとともに、前記長側壁の係合雄部の垂直片が、前記ヒンジ部を中心に前記短側壁方向に回動された前記折り畳み係止片と前記短側壁とにより挟持されており、且つ、前記折り畳み係止片の係止雄部が、前記短側壁の係止雌部に係止されるように構成したものである。
【０００７】
【実施例】
以下に、本発明の実施例について説明するが、本発明の趣旨を越えない限り何ら、本実施例に限定されるものでない。
【０００８】
１０は、平面形状が長方形状で、浅い箱型容器状に形成された底部であり、底部１０の長辺側部１０ａには、長側壁２０が、公知の適当なヒンジ部材によりヒンジ結合されており、また、底部１０の短辺側部１０ｂには、短側壁３０が、同じく公知の適当なヒンジ部材によりヒンジ結合されている。また、短辺側部１０ｂの上端は、底部１０の上に短側壁３０が重なるように、短側壁３０を略水平状に倒した際に、短側壁３０の上面と略同じになるように構成されており、また、長辺側部１０ａの上端は、底部１０の上に短側壁３０が重なるように倒し、更に、短側壁３０の上に重なるように、長側壁２０を略水平状に倒した際に、長側壁２０の上面と略同じになるように構成されている。
【０００９】
２１は、相対する長側壁２０の内壁面２０ａの両端部付近に形成された係合雄部であり、係合雄部２１は、内壁面２０ａに対して垂直方向に延在する垂直片２１ａと、垂直片２１ａの先端から内壁面２０ａと略平行に、長側壁２０の中央部方向に延在する係合片２１ｂとからなり、組み立てられた状態の長側壁２０を平面から見た場合に、略Ｌ状に形成されている。係合雄部２１は、長側壁２０の内壁面２０ａの両端部の上下方向に、１個或いは２個以上、適当数、形成されている。
【００１０】
３１は、短側壁３０の両端部付近に位置する上端に、ヒンジ部３２を介して連接された折り畳み係止片であり、折り畳み係止片３１は、短側壁３０の外壁面３０ａ方向に、ヒンジ部３２を中心に回動可能に構成されており、短側壁３０の外壁面３０ａに当接するように構成されている。
【００１１】
３３は、上述した短側壁３０の両端部付近に位置する上端に、ヒンジ部３２を介して連接された折り畳み係止片３１の自由端部側に形成された係止雄部であり、係止雄部３３は、折り畳み係止片３１に対して垂直な垂直部３３ａと垂直部３３ａの先端から下方（ヒンジ部３２方向）に延在する係止突起３３ｂとから構成されている。
【００１２】
３４は、短側壁３０の両端部付近に形成された係合雌部であり、本実施底においては、スリットとして形成されており、上述した相対する長側壁２０の内壁面２０ａの両端部付近に形成された係合雄部２１の係合片２１ｂが挿入されるように構成されている。係合雌部３４は、上述したように、係合雄部２１に対応して、係合雄部２１と同じ数、形成されている。
【００１３】
３５は、上述した短側壁３０の両端部付近に形成された係合雌部３４の下方（底部１０方向）に形成された係止雌部であり、本実施例においては、スリットとして形成されている。また、係止雌部３５が位置する短側壁３０の内壁面３０ｂ付近には、凹部３０ｃが形成されている。そして、係止雌部３５には、上述した短側壁３０の上端に、ヒンジ部３２を介して連接された折り畳み係止片３１の自由端部側に形成された係止雄部３３の係止突起３３ｂが、挿入、貫通されて、係止突起３３ｂが、短側壁３０の内壁面３０ｂに形成された凹部３０ｃを構成する垂直面３０ｃ’に係止されるように構成されている。なお、係止突起３３ｂが、凹部３０ｃを構成する垂直面３０ｃ’に係止された際には、係止突起３３ｂが、短側壁３０の内壁面３０ｂを越えて、折り畳みコンテナーの内部に突出しないように構成されている。
【００１４】
折り畳みコンテナーは、図４に示されているように、折り畳まれた状態においては、底部１０の上に、上述したように、短側壁３０が底部１０に重なるように載置されており、更に、短側壁３０の上に、長側壁２０が重ねられている。
【００１５】
上述したように、折り畳みコンテナーを、折り畳まれた状態から組み立てるには、先ず最初に、図３及び図５に示されているように、長側壁２０を、底部１０に対して、略垂直に立てる。次いで、短側壁３０を、底部１０と短側壁３０とをヒンジ結合している公知のヒンジ部材を中心に、底部１０から離れる方向に回動させる。そして、図２及び図６に示されているように、短側壁３０の両端部付近に形成された係合雌部３４に、長側壁２０の内壁面２０ａの両端部付近に形成された係合雄部２１の係合片２１ｂを挿入する。その後、短側壁３０の両端部付近に位置する上端に、ヒンジ部３２を介して連接された折り畳み係止片３１を、ヒンジ部３２を中心に、短側壁３０の外壁面３０ａ方向に回動させて、折り畳み係止片３１の自由端部側に形成された係止雄部３３の係止突起３３ｂを、短側壁３０に形成された係止雌部３５に、挿入、貫通して、係止突起３３ｂを、短側壁３０の内壁面３０ｂに形成された凹部３０ｃを構成する垂直面３０ｃ’に係止させる。このようにして、折り畳みコンテナーを組み立てる。
【００１６】
上述したようにして組み立てられた折り畳みコンテナーを折り畳むには、上述した組み立て順序と逆の工程により、折り畳むことができる。即ち、短側壁３０の折り畳み係止片３１の自由端部側に形成された係止雄部３３の係止突起３３ｂを上方に持ち上げるとともに、折り畳み係止片３１を、ヒンジ部３２を中心に、短側壁３０の外壁面３０ａから離れる方向に回動させる。次いで、短側壁３０を、底部１０と短側壁３０とをヒンジ結合しているヒンジ部材を中心に、底部１０方向に倒して、図３及び図５に示されているように、短側壁３０を、底部１０の上に重ねる。このように、短側壁３０を、底部１０方向に回動する過程において、長側壁２０の内壁面２０ａに形成された係合雄部２１の係合片２１ｂは、短側壁３０の両端部付近に形成された係合雌部３４から抜け出る。その後、長側壁２０を、底部１０と長側壁２０とをヒンジ結合しているヒンジ部材を中心に、底部１０方向に回動させて、図４に示されているように、底部１０の上に重ねる。このようにして、折り畳みコンテナーを折り畳まれることになる。
【００１７】
上述したように、長側壁２０と短側壁３０との係合は、長側壁２０に形成された係合雄部２１の係合片２１ｂを、短側壁３０に穿設された係合雌部３４としてのスリットに挿入するとともに、長側壁２０に形成された係合雄部２１の垂直片２１ａを、短側壁３０の外壁面３０ａと折り畳み係止片３１とにより挟持するように構成したので、組み立てられた状態の長側壁２０と短側壁３０との係合状態が、長側壁２０と短側壁３０とに外力が加わっても、解除されるようなことがない。特に、組み立てられた折り畳みコンテナーの内側から長側壁２０に外力が加わっても、長側壁２０に形成された係合雄部２１の係合片２１ｂが、短側壁３０に穿設された係合雌部３４に挿入されているので、この係合状態が外れ難いとともに、長側壁２０に形成された係合雄部２１の垂直片２１ａが、短側壁３０の外壁面３０ａと折り畳み係止片３１とにより挟持されているので、更に、長側壁２０に形成された係合雄部２１の係合片２１ｂが、短側壁３０に穿設された係合雌部３４から外れるようなことが防止できる。しかも、長側壁２０に形成された係合雄部２１の係合片２１ｂは、短側壁３０に穿設された係合雌部３４としてのスリットに挿入されているだけであるので、上述したように、折り畳み係止片３１を、ヒンジ部３２を中心に、短側壁３０の外壁面３０ａから離れる方向に回動させるとともに、短側壁３０を、底部１０と短側壁３０とをヒンジ結合しているヒンジ部材を中心に、底部１０方向に回動する過程において、長側壁２０に形成された係合雄部２１の係合片２１ｂは、何ら他の操作をすることなく、短側壁３０に形成された係合雌部３４としてのスリットから抜け出ることができる。
【００１８】
また、折り畳みコンテナーが組み立てられた状態においては、短側壁３０に連接された折り畳み係止片３１の自由端部側に形成された係止雄部３３の係止突起３３ｂを、短側壁３０に形成されている係止雌部３４としてのスリットに挿入し貫通して、係止雄部３３の係止突起３３ｂを、短側壁３０の内壁面３０ｂに形成された凹部３０ｃを構成する垂直面３０ｃ’に係止させるだけの係止雄部３３と係止雌部３４との係止状態であるので、この係止状態の解除作業及び係止作業は、簡単で、且つ、大きな力を必要とすることなく行うことができる。
【００１９】
【発明の効果】
本発明は、以上説明した構成を有しているので、以下に記載する効果を奏するものである。
【００２０】
短側壁の両端部付近に形成された係合雌部に、長側壁に形成された係合雄部を係合し、次いで、短側壁にヒンジ部を介して連接された折り畳み係止片を、ヒンジ部を中心に、短側壁方向に回動させて、折り畳み係止片に形成された係止雄部を、短側壁に形成された係合雌部に係止させるように構成したので、長側壁と短側壁との係止及びその解除を、簡単に、且つ、短時間に行うことができ、従って、折り畳みコンテナーの組み立て作業及び折り畳み作業の作業性が向上する。
【００２１】
短側壁に連接された折り畳み係止片と係止雌部とを係止或いは解除させるのみで、折り畳みコンテナーの組み立て或いは折り畳みを行うようにしたので、折り畳みコンテナーの組み立て或いは折り畳み作業を、簡単に、且つ、大きな力を必要とすることなく行うことができる。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は同じく本発明の折り畳みコンテナーの折り畳み途中の斜視図である。
【図４】図４は本発明の折り畳みコンテナーの折り畳まれた状態の斜視図である。
【図５】図５は本発明の折り畳みコンテナーの折り畳み途中の部分拡大斜視図である。
【図６】図６は同じく本発明の折り畳みコンテナーの折り畳み途中の部分拡大斜視図である。
【図７】図７は本発明の折り畳みコンテナーの組み立てられた状態の部分拡大斜視図である。
【図８】図８は本発明の折り畳みコンテナーの組み立てられた状態の長側壁に沿った部分垂直断面図である。
【図９】図９は従来の折り畳みコンテナーの組み立てられた状態の斜視図である。
【図１０】図１０は従来の折り畳みコンテナーの折り畳み途中の斜視図である。
【図１１】図１１は従来の折り畳みコンテナーの折り畳まれた状態の斜視図である。
【符号の説明】
１０・・・・・・・底部
２０・・・・・・・長側壁
２１・・・・・・・係合雄部
３０・・・・・・・短側壁
３１・・・・・・・折り畳み係止片
３３・・・・・・・係止雄部
３４・・・・・・・係合雌部
３５・・・・・・・係止雌部
【図１】
0003747144.tif 000002
【図２】
0003747144.tif 000003
【図３】
0003747144.tif 000004
【図４】
0003747144.tif 000005
【図５】
0003747144.tif 000006
【図６】
0003747144.tif 000007
【図７】
0003747144.tif 000008
【図８】
0003747144.tif 000009
【図９】
0003747144.tif 000010
【図１０】
0003747144.tif 000011
【図１１】
0003747144.tif 000012